(57)【要約】      （修正有）【課題】ノートカバーに取り付けて使用するだけでなく、差込部を差込部収納ポケットに挿入すれば、差込部をケース本体に密着させた状態で固定できるため邪魔にならず、単体でも持ち歩きできる差込式メッシュケースを提供する。【解決手段】表面がメッシュ地で、裏面がメッシュではない布地１４で形成され、メッシュ地と布地１４との間に物品を収納する収納部が形成され、メッシュ地に収納部を開閉するファスナーが設けられ、裏面に、湾曲可能な部材で形成され、布地１４の一方の長辺に一辺が固定された差込部２０が設けられると共に、差込部２０が挿入される差込部収納ポケット１５が設けられた。【選択図】図４
0003208243.tif 000002
【実用新案登録請求の範囲】
【請求項１】
表面がメッシュ地で裏面が布地であるメッシュケースであって、
前記メッシュ地と前記布地との間に収納部が形成され、
前記メッシュ地に、前記収納部を開閉するファスナーが設けられ、
前記裏面には、前記布地の一方の長辺に一辺が固定された差込部が設けられると共に、前記差込部が挿入される差込部収納ポケットが設けられたことを特徴とする差込式メッシュケース。
【請求項２】
差込部は、湾曲可能な部材で形成され、
差込部収納ポケットは、前記差込部の他方の長辺が挿入されるよう、布地の一方の長辺側が開口していることを特徴とする請求項１記載の差込式メッシュケース。
【請求項３】
収納部が２つに分離されていることを特徴とする請求項１又は２記載の差込式メッシュケース。
【請求項４】
鍵を取り付けるキーリングと、前記キーリングに接続されたベルト部とを備え、前記ベルト部が、収納部の内側に取り付けられていることを特徴とする請求項１乃至３のいずれか記載の差込式メッシュケース。
【考案の詳細な説明】
【技術分野】
【０００１】
本考案は、ノートカバーのポケットに差し込まれて用いられる差込式メッシュケースに係り、特に、単独でも使用可能として、利便性を向上させることができる差込式メッシュケースに関する。
【背景技術】
【０００２】
［先行技術の説明］
従来、ノートを収納するノートカバーがある。
ノートカバーの内側には、見開きの両面にノートの表（おもて）表紙又は裏表紙を挿入するポケットが設けられ、更に、カード類や各種用紙類を収納可能な複数のポケットが設けられている。
そして、見開きを閉じた状態で、外周部の３辺がファスナーで開閉される構成となっている。
【０００３】
従来、ノートカバーのポケットに差し込む板状の差込部を備え、ノートカバーに装着して使用するファスナー付きのケースがあった。
また、携帯用のケース（ポーチ）として、収納されている物品が見やすいように、メッシュ生地で形成されたものがあった。
【０００４】
［関連技術］
メッシュ生地を設けたポーチの従来技術としては、実用新案登録第３１３１７４２号公報「携帯用薬収納ポーチ」（特許文献１）がある。
特許文献１には、ファスナーで薬を出し入れでき、表側をメッシュ製にした薬収納袋を、薬の服用回数に応じて袋の裏側に付けた面ファスナーによりポーチ本体に着脱可能とした薬収納ポーチが記載されている。
【先行技術文献】
【特許文献】
【０００５】
【特許文献１】実用新案登録第３１３１７４２号公報
【考案の概要】
【考案が解決しようとする課題】
【０００６】
しかしながら、従来のノートカバーに差し込んで使用するケースは、ノートカバーに差し込まずに単独で持ち歩くと、板状の差込部が邪魔になって使い勝手が悪いという問題点があった。
【０００７】
尚、特許文献１の薬収納袋は、ポーチ本体に取り付けて使用するものであって、薬収納袋単体で持ち歩くことを想定したものではない。
【０００８】
本考案は、上記実情に鑑みて為されたもので、ノートカバーに差し込んで使用するだけでなく、単独で持ち歩くことができ、使い勝手及び利便性を向上させることができる差込式メッシュケースを提供することを目的とする。
【課題を解決するための手段】
【０００９】
上記従来例の問題点を解決するための本考案は、表面がメッシュ地で裏面が布地である差込式メッシュケースであって、メッシュ地と布地との間に収納部が形成され、メッシュ地に、収納部を開閉するファスナーが設けられ、裏面には、布地の一方の長辺に一辺が固定された差込部が設けられると共に、差込部が挿入される差込部収納ポケットが設けられたことを特徴としている。
【００１０】
また、本考案は、上記差込式メッシュケースにおいて、差込部は、湾曲可能な部材で形成され、差込部収納ポケットは、差込部の他方の長辺が挿入されるよう、布地の一方の長辺側が開口していることを特徴としている。
【００１１】
また、本考案は、上記差込式メッシュケースにおいて、収納部が２つに分離されていることを特徴としている。
【００１２】
また、本考案は、上記差込式メッシュケースにおいて、鍵を取り付けるキーリングと、キーリングに接続されたベルト部とを備え、ベルト部が、収納部の内側に取り付けられていることを特徴としている。
【考案の効果】
【００１３】
本考案によれば、表面がメッシュ地で裏面が布地であるメッシュケースであって、メッシュ地と布地との間に収納部が形成され、メッシュ地に、収納部を開閉するファスナーが設けられ、裏面には、布地の一方の長辺に一辺が固定された差込部が設けられると共に、差込部が挿入される差込部収納ポケットが設けられた差込式メッシュケースとしているので、差込部を差込部収納ポケットに収納すれば、差込部が邪魔になることなく、単体で持ち歩くことができ、使い勝手及び利便性を向上させることができる効果がある。
【００１４】
また、本考案によれば、差込部は、湾曲可能な部材で形成され、差込部収納ポケットは、差込部の他方の長辺が挿入されるよう、布地の一方の長辺側が開口している上記差込式メッシュケースとしているので、差込部を短辺方向に湾曲させて、差込部収納ポケットに容易に出し入れすることができると共に、挿入後に意図せず外れないようにすることができる効果がある。
【００１５】
また、本考案によれば、収納部が２つに分離されている上記差込式メッシュケースにとしているので、物品を分類して収納することができる効果がある。
【００１６】
また、本考案によれば、鍵を取り付けるキーリングと、キーリングに接続されたベルト部とを備え、ベルト部が、収納部の内側に取り付けられている差込式メッシュケースとしているので、鍵をキーリングに取り付けることにより、鍵を直接収納部に収納する場合に比べて、紛失しにくく、取り出し易くすることができる効果がある。
【図面の簡単な説明】
【００１７】
【図１】本考案の実施の形態に係る差込式メッシュケースの概略説明図である。
【図２】本メッシュケースの使用例を示す説明図である。
【図３】本メッシュケースの表面の構成を示す説明図である。
【図４】本メッシュケースの裏面の構成を示す説明図であり、（ａ）は、差込部２０を収納していない状態、（ｂ）は、差込部２０を収納した状態を示している。
【図５】本メッシュケースの短辺側の断面説明図である。
【図６】別のメッシュケースの表面の説明図である。
【考案を実施するための形態】
【００１８】
本考案の実施の形態について図面を参照しながら説明する。
［実施の形態の概要］
本考案の実施の形態に係る差込式メッシュケース（本メッシュケース）は、表面がメッシュ地で、裏面がメッシュではない布地で形成され、メッシュ地と布地との間に物品を収納する収納部が形成され、メッシュ地に収納部を開閉するファスナーが設けられ、裏面に、湾曲可能な部材で形成され、布地の一方の長辺に一辺が固定された差込部が設けられると共に、差込部が挿入される差込部収納ポケットが設けられたものであり、差込式メッシュケースをノートカバーに取り付けて使用するだけでなく、差込部を差込部収納ポケットに挿入すれば、差込部をケース本体に密着させた状態で固定できるため邪魔にならず、単体でも持ち歩きできるものである。
【００１９】
［本メッシュケースの概略構成：図１］
まず、本メッシュケースの概略構成について図１を用いて説明する。図１は、本考案の実施の形態に係る差込式メッシュケースの概略説明図である。
図１に示すように、本メッシュケースは、表側の面がメッシュ地１１で形成され、メッシュ地１１と裏側の面を形成する布地との間に、小物や現金を収納するポケット状の収納部１１ａが形成されている。図１では、裏側の布地はメッシュ地１１を介して透けて見えているが、符号は付していない。
メッシュ地１１には、収納部１１ａの開口部を開閉するファスナー１２が設けられている。
表面をメッシュ地１１とすることにより、中身を容易に確認できるものである。
【００２０】
また、本メッシュケースの裏側の面には、薄い板（下敷き、ベロ）状の差込部２０が設けられている。差込部２０は、ケース裏面の布地の一方の長辺に取り付けられている。
差込部２０は、ノートカバー５０のポケット５２に挿入されるものである。
【００２１】
［本メッシュケースの使用例：図２］
次に、本メッシュケースの使用例について図２を用いて説明する。図２は、本メッシュケースの使用例を示す説明図である。
通常、本メッシュケースは、ノートカバーに取り付けられた状態で用いられる。
図２に示すように、本メッシュケースは、ノートカバー５０の内部に設けられたポケット５２に差込部２０が挿入されて、取り付けられる。
図２では、ノートカバー５０の左側のポケット５２に、背表紙５１側から差込部２０が挿入されて、本メッシュケースがノートカバー５０に取り付けられた状態を示している。
【００２２】
差込部２０をノートカバー５０のポケット５２に差し込むことにより、本メッシュケースをノートカバーにしっかり固定でき、ファスナー１２の開閉を容易にし、また、ノートカバー５０を開いたときに本メッシュケースがすべり落ちてしまうのを防ぐものである。
収納部１１ａには、チケット、レシート、切符、お金、筆記具、通帳などを収納できる。
また、ノートカバー５０に複数の本メッシュケースを取り付けることも可能である。
【００２３】
［本メッシュケースの表面の構成：図３］
次に、本メッシュケースの表面の構成について図３を用いて説明する。図３は、本メッシュケースの表面の構成を示す説明図である。
図３に示すように、本メッシュケースの表面は、メッシュ地１１で形成されており、収納部１１ａに収納された物品を表側から容易に確認できるようにしている。
また、メッシュ地１１の長辺に平行に収納部１１ａを開閉するファスナー１２が設けられている。ファスナー１２は、メッシュ地１１の中央付近ではなく、一方の長辺寄りに設けられている。
【００２４】
また、本メッシュケース本体の外周部は、表面のメッシュ地１１と裏面の布地とを重ねてその縁を覆うパイピングテープ１３が設けられている。表面のメッシュ地１１と裏面の布地とは、パイピングテープ１３と共に縫い合わされ、外周部が固定されている。
【００２５】
［本メッシュケースの裏面の構成：図４］
次に、本メッシュケースの裏面の構成について図４を用いて説明する。図４は、本メッシュケースの裏面の構成を示す説明図であり、（ａ）は、差込部２０を収納していない状態、（ｂ）は、差込部２０を収納した状態を示している。
図４（ａ）に示すように、本メッシュケースの裏面には差込部２０が設けられている。差込部２０は、ポリプロピレン（ＰＰ）やポリ塩化ビニル（ＰＶＣ）等の湾曲可能な部材で構成された、薄い板状のシートである。
そして、図２に示したように、差込部２０は、ノートカバー５０のポケット５２に挿入されるものである。
【００２６】
また、図４（ａ）（ｂ）に示すように、本メッシュケース本体の裏面は布地１４で構成されており、更に、布地１４の上に差込部収納ポケット１５が設けられている。
布地１４は、例えば、ポリエステルやウレタン等の生地で形成されている。
そして、差込部２０の一方の長辺が、布地１４の一方の長辺に固定されている。
具体的には、差込部２０の一方の長辺は、パイピングテープ１３によって、布地１４のファスナー１２から遠い方の長辺に縫い付けられている。
つまり、差込部２０は、ファスナー１２が表面の上側（奥側）に位置するように本メッシュケースを置いた場合に、裏面の下側（手前側）になる布地１４の長辺に取り付けられている。
差込部２０の両短辺及び他方の長辺は固定されていない。
【００２７】
差込部収納ポケット１５は、例えば、布地１４と同じ生地の部材で形成されており、一方の長辺が開口部となるポケットである。開口部は、布地１４の差込部２０が固定された長辺側としている。
尚、ここでは、差込部収納ポケット１５の両短辺及び開口していない長辺を縫い付けて、袋状に形成しているが、差込部２０が取り付けられた側とは反対側（奥側）の長辺を縫い付けずに、短辺をより短くして両方の長辺側を開口させたベルト状に形成してもよい。
差込部収納ポケット１５をベルト状に形成した場合には、裏面の中央付近に設けるのが望ましい。
【００２８】
そして、図４（ｂ）に示すように、差込部２０を短辺方向に湾曲させて差込部収納ポケット１５に挿入すると、差込部２０を本ケースの本体に密着させた状態で収納することができるものである。
これにより、差込部２０を手で押さえなくても邪魔にならず、見栄えもよいため、本メッシュケースを単体でも持ち歩くことができるものである。
【００２９】
［本メッシュケースの断面説明図：図５］
次に、本メッシュケースの断面について図５を用いて説明する。図５は、本メッシュケースの短辺側の断面説明図である。図５では、向かって左側が表面、右側が裏面を示している。
図５に示すように、本メッシュケースは、表面側にメッシュ地１１が設けられ、メッシュ地１１にファスナー１２が取り付けられている。
また、裏面側に布地１４と差込部収納ポケット１５が設けられ、差込部２０が取り付けられている。
【００３０】
そして、図５の上側において、メッシュ地１１と、布地１４と、差込部収納ポケット１５とがパイピングテープ１３を介して縫い合わされて固定され、下側において、メッシュ地１１と、布地１４と、差込部２０とがパイピングテープ１３を介して縫い合わされて固定されている。
【００３１】
尚、図５では示されていないが、本メッシュケースの側面部においても、メッシュ地１１と布地１４の端部が（部分的には差込部収納ポケット１５も）パイピングテープで覆われて縫い合わされている。つまり、パイピングテープ１３は、本メッシュケースの外周部全体を覆っている。
【００３２】
［別のメッシュケースの構成：図６］
次に、本考案の別の実施の形態に係るメッシュケース（別のメッシュケース）について図６を用いて説明する。図６は、別のメッシュケースの表面の説明図である。
図６に示すように、別のメッシュケースは、収納部が２つに分離されており、収納部１１ｂと収納部１１ｃが設けられている。
具体的には、別のメッシュケースでは、メッシュ地１１と裏面の布地とがステッチ１５０によって縫い合わされ、収納部が２つに分割されている。
図６の例では、ステッチ１５０は、メッシュ地１１のほぼ中央に形成されて２つの収納部を同等の大きさとしているが、任意の位置に形成可能である。また、用途に応じて収納部を３つ以上設けてもよい。
【００３３】
また、収納部１１ｂ、１１ｃを開閉するファスナー１２０は、スライダー１２１及び１２２を備えている。ステッチ１５０は、スライダー１２１及び１２２の可動域には形成されておらず、スライダー１２１，１２２はファスナー１２０の左端から右端まで動くようになっている。
尚、ファスナー１２０の代わりに、図２に示した例のように、スライダーを１つ備えたファスナーを２つ設けてもよい。
【００３４】
更に、別のメッシュケースの特徴として、鍵を取り付け可能なキーリング１８がベルト部１７によってメッシュ地１１の内側若しくは裏面の布地の内側に取り付けられている。これにより、キーリング１８に取り付けた鍵を収納部１１ｂの中に収納できるものである。
キーリング１８を備えることにより、鍵を直接収納部１１ｂ又は１１ｃに収納する場合に比べて、紛失しにくく、取り出し易くなる。
また、キーリング１８とメッシュケース本体とを接続するベルト部１７を設けているため、メッシュケースが邪魔にならずに鍵を操作できるものである。
【００３５】
別のメッシュケースの裏面の構成は、図４に示した本メッシュケースの裏面と同様であり、差込部をノートカバーのポケットに差し込んで使用でき、また、差込部を別のメッシュケース裏面の差込部収納ポケットに収納すれば、単体でも持ち歩き可能なものとなっている。
【００３６】
［考案の効果］
本考案の実施の形態に係る差込式メッシュケースによれば、表面のメッシュ地１１と裏面の布地１４との間に収納部１１ａが形成され、メッシュ地１１に収納部１１ａを開閉するファスナー１２が設けられ、裏面に、布地１４の長辺に一辺が取り付けられた差込部２０と、差込部２０を収納する差込部収納ポケット１５を設けられている構成としているので、ノートケースのポケットに差込部２０を挿入して、ノートカバー５０に取り付けて使用できるだけでなく、差込部２０を差込部収納ポケット１５に挿入すれば、差込部２０が邪魔にならず、単体でも持ち歩き可能とすることができ、メッシュケースの使い勝手及び利便性を向上させることができる効果がある。
【００３７】
また、本考案の別の実施の形態に係る差込式メッシュケースによれば、収納部をステッチ１５０で区切って、収納部１１ｂと１１ｃとを備え、キーリング１８をベルト部１７で収納部１１ｂの内部に取り付けているので、物品を分別して収納することができ、また、鍵をなくさないように携帯できる効果がある。
【００３８】
更に、本メッシュケースや別のメッシュケースにおいて、メッシュ地１１、布地１４、パイピングテープ１３の色を変えることにより、物品を分別して収納でき、利便性を向上させることができる効果がある。
【産業上の利用可能性】
【００３９】
本考案は、ノートカバーに差し込んで使用するだけでなく、単独で持ち歩くことができ、使い勝手を向上させ、利便性を向上させることができる差込式メッシュケースに適している。
【符号の説明】
【００４０】
１１...メッシュ地、  １１ａ，１１ｂ，１１ｃ...収納部、  １２，１２０...ファスナー、１３...パイピング部、  １４...布地、  １５...差込部収納ポケット、  １７...ベルト部、  １８...キーリング、  ２０...差込部、  ５０...ノートカバー、  ５１...背表紙、  ５２...ポケット、  １２１，１２２...スライダー、  １５０...ステッチ
【図１】
0003208243.tif 000003
【図２】
0003208243.tif 000004
【図３】
0003208243.tif 000005
【図４】
0003208243.tif 000006
【図５】
0003208243.tif 000007
【図６】
0003208243.tif 000008